(57)【要約】【課題】螺合によらない移動フード形成リングを備えている釣竿において、これらの移動フード形成リングを所定位置に保持できる釣竿を提供する。【解決手段】リール足載置部１４Ｓを有して竿杆１０の外側を囲むように配設されたリール装着本体部１４Ｈと、前後に配置される２個以上のフード１４Ｋ，Ｒ１，Ｒ１’を有し、該フードの中には螺合によることなく該本体部上を前後移動可能な移動フードＲ１，Ｒ１’を具備するリール装着部１４の構造において、前記リール装着本体部には前記移動フードを設けているリングＲ１，Ｒ１’を保持可能なリング保持部ＲＫが設けられているよう構成する。【選択図】図２
2007174913.tif 000002
【特許請求の範囲】
【請求項１】
リール足載置部を有して竿杆の外側を囲むように配設されたリール装着本体部と、前後に配置される２個以上のフードを有し、該フードの中には螺合によることなく該本体部上を前後移動可能な移動フードを具備するリール装着部構造において、
前記リール装着本体部には前記移動フードを設けたリングを保持可能なリング保持部が設けられている
ことを特徴とする釣竿。
【請求項２】
前記リング保持部は前記リングよりも柔軟性を有し、該リング保持部の外径は、圧入可能な範囲で該リングの内径よりも大きい請求項１記載の釣竿。
【請求項３】
前記リング保持部と前記リングとは、該リングの内面の５０パーセント以上の割合の面が面接触する請求項１又は２記載の釣竿。
【請求項４】
前記２個以上のフードには螺合によることなく該本体部上を前後移動可能な複数個の移動フードを有しており、前記リング保持部には各移動フードを設けた各リングを２個以上一緒に保持可能な請求項１〜３の何れか１記載の釣竿。
【請求項５】
前記リングは前記リール装着本体部に対して挿脱可能に設けられている請求項１〜４の何れか１記載の釣竿。
【発明の詳細な説明】
【技術分野】
【０００１】
本発明は、リール装着部に特徴のある釣竿に関する。
【背景技術】
【０００２】
フライロッドやルアーロッド等の釣竿のリール装着部では、繊維強化樹脂製竿杆の外側に天然や人工のコルクやＥＶＡ等の柔軟性（弾力性）のある部材で覆ったグリップ部及び／又はリール装着本体部を形成しており、このグリップ部やリール装着本体部にリールの足を載置し、リール足を押圧して締め付けると本体部の弾力性に起因して強く締結できる。こうしたリール装着部におけるリール足緊締構造の１つが下記特許文献１に開示されている。これは、螺合によらない移動フードを形成する一対のリングであって、内周に傾斜部を有する繊維強化樹脂製の２個のリール脚圧着フードによって圧着緊締するものである。また、下記特許文献２には、螺合によらない移動フード形成リングを２個使用してリールを保持固定する構造と、グリップ後端部に設けた固定フードと螺合によらない１個のリングの移動フードとで保持固定する構造とが開示されている。
【特許文献１】特開平１１−２６６７５３号公報
【特許文献２】特開平１０−２８６０４６号公報
【発明の開示】
【発明が解決しようとする課題】
【０００３】
特許文献１や２のように、リール装着部に螺合によらないで移動する移動フード形成リングを備えている場合、運搬中にガタつき音が生じたり、擦れてリール装着部に不用意に傷が付いたりするおそれもある。また、複数個の移動フード形成リングを備えている場合、釣りにおいては、リール足の保持固定にはその一部しか使用しない使用形態も考えられるが、この場合は、釣りを行う際に使用されていない移動フード形成リングがガタつき、釣りの邪魔になる。
依って解決しようとする課題は、螺合によらない移動フード形成リングを備えている釣竿において、これらの移動フード形成リングを所定位置に保持できる釣竿を提供する。
【課題を解決するための手段】
【０００４】
第１の発明では、リール足載置部を有して竿杆の外側を囲むように配設されたリール装着本体部と、前後に配置される２個以上のフードを有し、該フードの中には螺合によることなく該本体部上を前後移動可能な移動フードを具備するリール装着部構造において、前記リール装着本体部には前記移動フードを設けているリングを保持可能なリング保持部が設けられていることを特徴とする釣竿を提供する。
フードとはリールの足の挿入部を意味して使用している。
【０００５】
第２の発明では、前記リング保持部は前記リングよりも柔軟性を有し、該リング保持部の外径は、圧入可能な範囲で該リングの内径よりも大きい第１の発明記載の釣竿を提供する。
第３の発明では、前記リング保持部と前記リングとは、該リングの内面の５０パーセント以上の割合の面が面接触する第１又は第２の発明記載の釣竿を提供する。
【０００６】
第４の発明では、前記２個以上のフードには螺合によることなく該本体部上を前後移動可能な複数個の移動フードを有しており、前記リング保持部には各移動フードを設けた各リングを２個以上一緒に保持可能な第１の発明〜第３の発明の何れか１記載の釣竿を提供する。
第５の発明では、前記リングは前記リール装着本体部に対して挿脱可能に設けられている第１の発明〜第４の発明の何れか１記載の釣竿を提供する。
【発明の効果】
【０００７】
第１の発明では、移動フードを形成するリングを保持可能なリング保持部が設けられているため、釣竿運搬中にガタつくことが防止でき、また、実釣り時において使用されていないリングがあっても、それがガタつくことを防止できる。
第２の発明では、リングをリング保持部に圧入させて保持でき、保持の安定性が高くて不用意に外れ難い。
第３の発明では、リング保持部とリングとが、該リングの内面の多くの割合の面で接触していると保持力が強く、不用意に外れ難く好ましい。ほんの僅かだけ接触して不安定にたまたま保持できている形態と区別するために、５０パーセント以上の面割合の制約にしている。
【０００８】
第４の発明では、複数個のリングを保持できるので、釣りの際に複数個のリングが余る場合やリールを付けない状態で運搬する際にそれらを保持できてガタつきが防止でき、便利である。
第５の発明では、リングはリール装着本体部に対して挿脱可能であるため、釣りにおいて使用しないリングを、リング保持部に保持させるのではなく、後方に抜き取ることができる。即ち、そのように抜き取れるように、リング内径とリール装着部から後側領域の外径とを形成している。また、必要に応じてリングを釣竿後端部から挿入配設できる。
【発明を実施するための最良の形態】
【０００９】
以下、本発明につき図面を用いて詳細に説明する。図１は本発明に係る釣竿の例としてのキャスティングロッドの一つであるフライロッドの側面図、図２はリール装着部付近の拡大縦断面図、図３は図２の釣竿後端部付近を更に拡大した縦断面図である。エポキシ樹脂等の合成樹脂をマトリックスとし、炭素繊維等の強化繊維で強化した繊維強化樹脂製の竿管１０の後部にはグリップ部１２を設け、その直後の竿管の上にはリール２０を保持固定させるリール装着部１４を設けている。グリップ部１２は竿管１０の外側（上）を天然や人工のコルクやＥＶＡ等の柔軟性（弾力性）のある部材で覆っている。
【００１０】
一方、リール装着部１４は、竿管１０の外側を筒状に覆ったリール装着本体部１４Ｈと、この本体部の大部分の領域を遊嵌状に挿通させる内径を有する移動フード形成リング（以下では、リング）Ｒ１，Ｒ１’を配設している。リングの材質は硬質な合成樹脂（ＡＢＳ樹脂、ポリアミド樹脂等）や金属材（ステンレス、アルミ合金等）又はそれらの組合せ、或いは繊維強化樹脂材で形成される。繊維強化樹脂材の場合は、繊維方向は周方向が好ましいが、周方向と軸長方向を組み合わせたり、バイアスによって傾斜方向に指向させてもよい。本体部１４Ｈは上記のグリップ部で述べたものと同類の部材で形成しており、その弾力性によってリール足を保持する際に強く保持できる。更には、リールの足を載置するリール足載置部（この例では平面状）１４Ｓを形成している。ここでいう平面状とは、なだらかな曲面を含み、また、部分的にはなだらかではない曲面があってもよい。
【００１１】
また、その前方位置であって、グリップ部１２の後端部には固定フード１４Ｋを設けている。本願に限らないが、固定フードはリール足を足厚方向に押圧するのが主目的ではなく、足の左右から挟持して横振れを防止するものである。また、本体部１４Ｈの後端部には、リングの内径と概ね同じ（僅かに大きい）外径を有する横断面円形のリング保持部ＲＫが設けられており、ここにリングを圧入して保持することができる。このリング保持部とリング内面とはリング内面の大部分の面にて接触するため、外れ難い。この例のリング保持部では１個のリングが保持できる幅（釣竿長手方向の寸法）に形成されている。また、図示しないが、本体部１４Ｈの前端部にリング保持部を設けてもよい。
【００１２】
上記リング保持部ＲＫの直後には、適宜サイズの環状凹部ＫＫを設けており、この凹部にオーリングＯＲを着脱可能に装着させ、このオーリングによって、リング保持部ＲＫを越えたリングの後方への抜けの防止を行っている。この他、リール装着本体部と一体の凸部や凸条部でも抜け止めができる。但し、この場合は、釣竿の製造時に、各リングをリール装着本体部の外側に、前側から予め挿通させておく必要がある。釣竿は前記環状凹部の直ぐ後ろで終端しており、尻栓部材Ｓが装着されている。前記固定フード１４Ｋの壁は、グリップ部１２の部材よりも硬質な合成樹脂材（ＡＢＳ樹脂、ポリアミド樹脂等）や金属材（ステンレス、アルミ合金等）によるフードリング部材ＫＲによって構成されている。
【００１３】
図４はリング保持部の第２の形態を図示した部分縦断面図を示しており、図３の場合と異なる事項は、リング保持部ＲＫの幅が図３の場合よりも広く、２個のリングＲ１’，Ｒ１を一緒に保持できる。
【００１４】
図５は第３の形態のリング保持部ＲＫ，ＲＫ’を図示しており、その外径が２段に形成されている。従って、内径の異なる２種類のリングＲ１’，Ｒ２’を、夫々のリング保持部ＲＫ，ＲＫ’に保持させることができる。本願の各実施形態例では、リール装着部の後部の、リール装着本体部１４Ｈのリール足載置部１４Ｓ側とは径方向反対側（各図の上側）を除く領域が、後方ほど漸次高くなるように形成された傾斜部ＴＰを有しており、前記リング保持部ＲＫ’にはこの傾斜部が食い込んでおり、リングＲ２’の内面の一部分がリング保持部ＲＫ’と押圧し合っている。しかし、このリング保持部ＲＫ’付近の横断面形状は、後述の図７のリール装着本体部と同様に円形を基本形状としており、傾斜部ＴＰによって一部が切り取られているだけであるため、リング内面の大部分の領域と押圧し合う関係になっている。
【００１５】
図６は第４の形態のリール保持部ＲＫを図示しており、その矢視線Ｇ−Ｇによる横断面を図７に示している。この形態は、図５の形態と比較すれば、保持できる２個のリングの内径が同じであることが異なり、図４の形態と比較すれば、リング保持部ＲＫに傾斜部ＴＰが入り込んでおり、図４の場合はリングＲ１はその内面全体がリング保持部に押圧接触しているが、図６の場合では、一部が欠けていることが異なる。しかし、内面の面積の５０パーセント以上が押圧接触していることに変わりは無い。内面の５０パーセント以上が押圧接触するとは、円周方向の半分以上が押圧接触する場合の他、軸長方向（リングの幅方向）の半分以上が押圧接触する場合も含まれ、これらが組み合わさった場合も含まれる。例えば、傾斜部ＴＰが、リール装着本体部１４Ｈの上下方向の半分以上にまで達すれば、残りのリール装着本体部の傾斜部ＴＰの幅（径方向）よりもリングＲ１の内径の方が相対的に大きくなるため、外れてしまう。これを防止する必要があるため５０パーセント以上としている。
【００１６】
図８は釣竿の他の形態を図示している。この形態では、以上の各形態例におけるオーリングＯＲに代えて、尻栓部材Ｓをその周辺部ＳＥがリール装着本体部１４Ｈの後端部外周に覆い被さるように形成しており、リングＲ１’等が、リング保持部を通って不用意に後方に抜け出ることを防止できる。また、リール装着本体部１４Ｈの後端部外周の保護もできる。この図８では、尻栓部材Ｓはその中央部の凸状栓本体部ＳＨを竿管１０の内部に圧入させて装着しているが、圧入に代わり、ねじを設けて螺合によって装着してもよい。螺合によれば、尻栓部材Ｓを外してリングの挿脱が可能であり、また、尻栓部材が不用意に抜けず、リングの不用意な抜けによる紛失が防止できる。
【産業上の利用可能性】
【００１７】
本発明はフライロッドやルアーロッド等の釣竿に利用できる。
【図面の簡単な説明】
【００１８】
【図１】図１は本発明に係る釣竿の１つのフライロッドの側面図である。
【図２】図２はリール装着部付近の拡大縦断面図である。
【図３】図３は図２の釣竿後端部付近を更に拡大した縦断面図である。
【図４】図４はリング保持部の他の形態を図示した部分縦断面図である。
【図５】図５はリング保持部の他の形態を図示した部分縦断面図である。
【図６】図６はリング保持部の他の形態を図示した部分縦断面図である。
【図７】図７は図６の矢視線Ｇ−Ｇによる横断面図である。
【図８】図８は釣竿の他の形態の部分縦断面図である。
【符号の説明】
【００１９】
１０                        竿管
１２                        グリップ部
１４                        リール装着部
１４Ｈ                      リール装置本体部
１４Ｋ                      固定フード
１４Ｓ                      リール足載置部
ＯＲ                        オーリング（リング脱落防止部材）
Ｒ１，Ｒ１’，Ｒ２’          移動フード形成リング
ＲＫ，ＲＫ’                リング保持部
【図１】
2007174913.tif 000003
【図２】
2007174913.tif 000004
【図３】
2007174913.tif 000005
【図４】
2007174913.tif 000006
【図５】
2007174913.tif 000007
【図６】
2007174913.tif 000008
【図７】
2007174913.tif 000009
【図８】
2007174913.tif 000010